(57)【要約】【課題】  部品点数を削減することにより製造コストを低減させたパチンコ機の入賞装置を提供する。【解決方法】  アーム８０を回動させるソレノイド６０が取り付けられると共にソレノイド６０の発熱を放熱する放熱板７０に回動穴７３ａ，７３ｂが形成され、アーム８０に突設された回動突起８１ａ，８１ｂが回動穴７３ａ，７３ｂに挿入されてアーム８０が回動穴７３ａ，７３ｂを中心として回動するため、アーム８０を軸支するための部材を別に設ける必要がない。また、アーム８０の回動突起８１ａ，８１ｂを挿入する回動穴７３ａ，７３ｂがバーリング加工により形成されているため、回動穴７３ａ，７３ｂに軸受部材を取り付けたり、あるいは回動穴７３ａ，７３ｂにシャフトを通し、このシャフトでアーム８０を軸支したりする必要がない。これにより、部品が増加することによる製造コストの上昇を回避することができる。【選択図】        図２
2005288042.tif 000002
【特許請求の範囲】
【請求項１】
ソレノイドによって駆動されるアームの回動によりパチンコ玉を受け入れない起立状態とパチンコ玉を受け入れることができる傾斜状態とに変化可能な一対の開閉部材を取付基板の前面に軸支したパチンコ機の入賞装置において、
前記ソレノイドは、該ソレノイドからの発熱を放熱するための放熱板により前記取付基板に取り付けられ、
前記アームには、その回動の中心となる回動突起が突設され、
前記放熱板には、前記回動突起が挿入されて前記アームの回動中心となる回動穴がバーリング加工により形成されていることを特徴とするパチンコ機の入賞装置。
【請求項２】
前記入賞装置は、パチンコ玉が入賞したことを検出する検出スイッチを備え、
前記検出スイッチは、後方から前方に向けて下り傾斜した状態で、前記入賞装置の後方部に取り付けられていることを特徴とする請求項１記載のパチンコ機の入賞装置。
【請求項３】
前記入賞装置は、該入賞装置の前面を装飾する前面飾りを備え、
前記前面飾りの裏面側上部であって中心線を挟んで一方の前記開閉部材側の位置には、受け入れたパチンコ玉を後方に向けて誘導する第１誘導突起が突設され、
他方の前記開閉部材に形成されたパチンコ玉を誘導する誘導面の下流端であって後方側の位置には、受け入れたパチンコ玉を前方に向けて誘導する第２誘導突起が突設されていることを特徴とする請求項１又は請求項２に記載のパチンコ機の入賞装置。
【発明の詳細な説明】
【技術分野】
【０００１】
本発明は、ソレノイドによって駆動されるアームの回動によりパチンコ玉を受け入れない起立状態とパチンコ玉を受け入れることができる傾斜状態とに変化可能な一対の開閉部材を取付基板の前面に軸支したパチンコ機の入賞装置に関するものである。
【背景技術】
【０００２】
パチンコ遊技機の遊技盤面に設けられる入賞装置であって、一対の開閉部材を取付基板の前面に軸支した入賞装置においては、入賞装置に内蔵されたソレノイドによって駆動されるアームが支軸を中心に回動し、このアームの回動によって一対の開閉部材のそれぞれに形成された連結片を上下動させることにより、一対の開閉部材を起立状態と傾斜状態とに変化させるようにしていた。従来、このような入賞装置では、ソレノイドを取り付けるための取付部材とアームを回動自在に軸支するための軸支部材とが別々に設けられており、また、多くの場合、この軸支部材は樹脂材料によって形成されていた（例えば、特許文献１）。軸支部材が樹脂材料によって形成されているのは、例えば、軸支部材を板金により形成した場合、軸支部材にアームを支持させるためのシャフト、あるいは軸受部材等の別部品が必要となるためである。
【特許文献１】特開２００２−２８３０２号公報
【発明の開示】
【発明が解決しようとする課題】
【０００３】
しかしながら、上記のように特許文献１に示すような入賞装置においては、取付部材と軸支部材とが別々に設けられているため部品点数が増加し、製造コストが上昇するという問題があった。また、部品点数の増加だけでなく、上記のように、軸支部材は樹脂材料によって形成されるものであるが、単純な樹脂製部品とは異なり形状が複雑になるため、軸支部材を板金により形成したものほどではなくても、軸支部材自体が製造コストの高いものになるという問題があった。
【０００４】
そこで、本発明は、上記した事情に鑑みなされたもので、その目的とするところは、部品点数を削減することにより製造コストを低減させたパチンコ機の入賞装置を提供することにある。
【課題を解決するための手段】
【０００５】
そこで、請求項１に係る発明について、図面を参照して説明すると、図２乃至図４に示すように、ソレノイド６０によって駆動されるアーム８０の回動によりパチンコ玉を受け入れない起立状態とパチンコ玉を受け入れることができる傾斜状態とに変化可能な一対の開閉部材４０ａ，４０ｂを取付基板２０の前面に軸支したパチンコ機の入賞装置５において、前記ソレノイド６０は、該ソレノイド６０からの発熱を放熱するための放熱板７０により前記取付基板２０に取り付けられ、前記アーム８０には、その回動の中心となる回動突起８１ａ，８１ｂが突設され、前記放熱板７０には、前記回動突起８１ａ，８１ｂが挿入されて前記アーム８０の回動中心となる回動穴７３ａ，７３ｂがバーリング加工により形成されていることを特徴とするパチンコ機の入賞装置５とした。
【０００６】
また、請求項２に係る発明では、図面を参照して説明すると、図２乃至図４に示すように、請求項１に記載されるパチンコ機の入賞装置５は、パチンコ玉が入賞したことを検出する検出スイッチ３５を備え、前記検出スイッチ３５は、後方から前方に向けて下り傾斜した状態で、前記入賞装置５の後方部に取り付けられていることを特徴とするパチンコ機の入賞装置５とした。
【０００７】
また、請求項３に係る発明では、図面を参照して説明すると、図６に示すように、請求項１又は請求項２に記載されるパチンコ機の入賞装置５は、該入賞装置５の前面を装飾する前面飾り５０を備え、前記前面飾り５０の裏面側上部であって中心線を挟んで一方の前記開閉部材４０ｂ側の位置には、受け入れたパチンコ玉を後方に向けて誘導する第１誘導突起５３が突設され、他方の前記開閉部材４０ａに形成されたパチンコ玉を誘導する誘導面４４ａの下流端であって後方側の位置には、受け入れたパチンコ玉を前方に向けて誘導する第２誘導突起４１が突設されていることを特徴とするパチンコ機の入賞装置５とした。
【発明の効果】
【０００８】
請求項１に係る発明においては、アーム８０を回動させるソレノイド６０が取り付けられると共にソレノイド６０の発熱を放熱する放熱板７０にバーリング加工により回動穴７３ａ，７３ｂが形成され、アーム８０に突設された回動突起８１ａ，８１ｂが回動穴７３ａ，７３ｂに挿入されてアーム８０が回動穴７３ａ，７３ｂを中心として回動する。このように、ソレノイド６０を取り付ける放熱板７０にアーム８０が軸支されているため、アーム８０を軸支するための部材を別に設ける必要がなく、製造コストの低減を図ることができる。また、アーム８０の回動突起８１ａ，８１ｂを挿入する回動穴７３ａ，７３ｂがバーリング加工により形成されているため、回動穴７３ａ，７３ｂを単なるパンチ穴で形成した場合のように、回動穴７３ａ，７３ｂに生じるバリによってアーム８０の回動突起８１ａ，８１ｂが摩耗しないよう、回動穴７３ａ，７３ｂに軸受部材を取り付けたり、あるいは回動穴７３ａ，７３ｂにシャフトを通し、このシャフトでアーム８０を軸支したりする必要がない。これにより、部品が増加することによる製造コストの上昇を回避することができる。
【０００９】
請求項２に係る発明においては、パチンコ玉が入賞したことを検出する検出スイッチ３５が、後方から前方に向けて下り傾斜した状態で入賞装置５の後方部に取り付けられている。このように、検出スイッチ３５が傾斜した状態で取り付けられているため、検出スイッチ３５を垂直方向に取り付けることにより入賞装置５の縦寸法だけが大きくなってしまったり、あるいは、検出スイッチ３５を水平方向に取り付けることにより入賞装置５の奥行き寸法だけが大きくなってしまうことがない。このため、入賞装置５の縦寸法及び奥行き方向の寸法のいずれも大きくなり過ぎることを抑えて、入賞装置５の小型化を図ることができる。
【００１０】
また、検出スイッチ３５を傾斜した状態で取り付けることにより、入賞装置５の小型化を図りながら、検出スイッチ３５とソレノイド６０との間に空間を形成することができるため、ソレノイド６０の発熱の影響による検出スイッチ３５の破損を防止することができる。また、形成された空間をパチンコ玉の通路等、他の空間として利用することができる。
【００１１】
更に、検出スイッチ３５が入賞装置５の後方部に取り付けられているため、検出スイッチ３５が入賞装置５を構成する部品と部品との間に位置している場合や、部品の内部に取り付けられている場合のように、検出スイッチ３５の交換作業等が困難になるということがなく、検出スイッチ３５の取り付け及び取り外しを容易に行うことができる。
【００１２】
請求項３に係る発明においては、前面飾り５０の裏面側上部の一方の開閉部材４０ｂ側には、受け入れたパチンコ玉を後方に向けて誘導する第１誘導突起５３が突設され、他方の開閉部材４０ａの誘導面４４ａの下流端の後方側には、受け入れたパチンコ玉を前方に向けて誘導する第２誘導突起４１が突設されている。これにより、受け入れられたパチンコ玉のうち第１誘導突起５３側に位置するパチンコ玉は、第１誘導突起５３によって後方に向けて誘導され、一方、第２誘導突起４１側に位置するパチンコ玉は、第２誘導突起４１によって前方に向けて誘導される。このように、２個のパチンコ玉が平面視で段差状になるように誘導されるため、２個のパチンコ玉が互いに及ぼす力が同一線上に働くことがなく、２個のパチンコは静止することはない。そして、一方のパチンコ玉が他方のパチンコ玉から逃げるように移動するため、一方のパチンコ玉が落下して玉入口内に入賞した後、他方のパチンコ玉が落下して玉入口内に入賞する。
【発明を実施するための最良の形態】
【００１３】
以下、図面を参照して、本発明の実施形態について説明する。まず、図１を参照して、パチンコ機１の概要について説明する。図１は、実施形態に係る入賞装置５を装着したパチンコ機１の正面図である。
【００１４】
図１に示すように、パチンコ機１の遊技盤２のほぼ中央部に特別変動表示装置３が配置され、この特別変動表示装置３の中央部には、図柄表示器４が設けられ、特別変動表示装置３の両側方には、通過口６が設けられている。また、特別変動表示装置３の下方には、本実施形態の要部を構成する入賞装置５が配置され、この入賞装置５と特別変動表示装置３との間には、普通変動表示装置８が設けられている。更に、入賞装置５の下方には、変動入賞装置７が配置されており、この変動入賞装置７の両側方には、特別変動表示装置３の変動を許容する始動口９が配置されている。なお、入賞装置５は、始動口９と同じ始動機能を有している。
【００１５】
また、遊技盤２の下方には、払い出された賞品球を貯留する上皿１０が設置され、上皿１０の下方には、上皿１０では貯留しきれない賞品球が払い出される下皿１１が設置されている。また、下皿１１の右側方には、パチンコ玉を発射させるためのハンドル１２が設置されている。
【００１６】
遊技中、遊技者がハンドル１２を操作することにより発射したパチンコ玉が、通過口６に内蔵された検出スイッチ（図示しない）を通過すると普通変動表示装置８が起動して変動表示が実行される。普通変動表示装置８には様々な図柄が表示されるものであるが、例えば、７セグメントのＬＥＤにより０〜９までの数字を表示するものである。普通変動表示装置８が起動した後、所定の時間が経過すると普通変動表示装置８が停止し、ある特定の図柄（例えば、７）が表示されると、始動機能を有する入賞装置５がパチンコ玉を受け入れることができる状態となる。この状態で入賞装置５にパチンコ玉が入賞し、そのパチンコ玉が入賞装置５に内蔵される検出スイッチ３５（図２参照）によって検出されると、特別変動表示装置３の図柄表示器４が起動して変動表示が実行される。図柄表示器４は、複数の図柄が複数列（例えば、３列）で変動表示されるものである。図柄表示器４が起動した後、所定の時間が経過すると図柄表示器４が停止し、ある特定の図柄（例えば、同一図柄のゾロ目）が表示されると、大当たり状態となる。大当たり状態になると、変動入賞装置７が開放し、変動入賞装置７がパチンコ玉を受け入れることができる状態になる。変動入賞装置７は、所定時間（例えば、３０秒）が経過するか、その所定時間内に所定個数（例えば、１０個）の入賞玉が発生するまで開放し、そのような開放状態を変動入賞装置７の内部に設けられるＶ入賞口（図示しない）に入賞することを条件として、所定回数（例えば、１６回）繰り返すことができるようになっている。
【００１７】
以上、パチンコ機１の概要について説明したが、次に、本実施形態の要部を構成する入賞装置５について、図２乃至図６を参照して説明する。図２は、入賞装置５の分解斜視図であり、図３は、パチンコ玉を受け入れない起立状態における入賞装置５の正面図及び側方断面図であり、図４は、パチンコ玉を受け入れることができる傾斜状態における入賞装置５の正面図及び側面断面図であり、図５は、回動穴７３ａ，７３ｂに回動突起８１ａ，８１ｂを挿入する状態の拡大図であり、図６は、開閉部材４０ａ，４０ｂ上のパチンコ玉が第１誘導突５３起及び第２誘導突起４１によって誘導される状態を示す平面図及び正面図である。
【００１８】
図２において、入賞装置５は、パチンコ機１の遊技盤２の表面に取り付けられる取付基板２０と、取付基板２０の前面に軸支され起立状態と傾斜状態とに変化可能な一対の開閉部材４０ａ，４０ｂと、傾斜状態で受け入れたパチンコ玉を取付基板２０の後方に向けて誘導する誘導底面５２（図３参照）を有する前面飾り５０と、開閉部材４０ａ，４０ｂを開閉させるためのアーム８０と、前後作動することによりアーム８０を回動させるソレノイド６０と、ソレノイド６０からの発熱を放熱すると共にソレノイド６０を取付基板２０に取り付けるための放熱板７０と、パチンコ玉が入賞したことを検出する検出スイッチ３５と、この検出スイッチ３５を取り付けるためのスイッチ取付部材３２と、装飾ＬＥＤ３８ａ，３８ｂがそれぞれ実装されたＬＥＤ基板３７ａ，３７ｂと、から構成されている。以下、入賞装置５を構成する上記した各構成部品について説明する。
【００１９】
まず、取付基板２０について説明すると、取付基板２０は、正面視でほぼ台形形状に形成されるものである。取付基板２０の上部にはパチンコ玉が通過する通過穴２１が形成されると共に、下部中央には開閉部材４０ａ，４０ｂで受け入れたパチンコ玉を取付基板２０の後面側に通過させる玉入口２６が開設されている。玉入口２６の左右両側方には、開閉部材４０ａ，４０ｂに突設され、開閉部材４０ａ，４０ｂを回動自在に軸支する軸支ピン（図示しない）が挿入される止め穴２３ａ，２３ｂが穿設され、この止め穴２３ａ，２３ｂの内側には、連結穴２４ａ，２４ｂが形成されている。連結穴２４ａ，２４ｂには、開閉部材４０ａ，４０ｂの後方に突設される連結片４３ａ，４３ｂが貫通され、この連結片４３ａ，４３ｂはアーム８０の後述する係合部８２ａ，８２ｂと連結するようになっている。また、玉入口２６の下方には、前面飾り５０を固定するための取付穴２５（図３，４参照）が穿設されている。また、取付基板２０のほぼ中央の左右両端部には、入賞装置５を遊技盤２の表面に取り付けるための取付穴２２ａ，２２ｂが穿設されている。また、上記した止め穴２３ａ，２３ｂの下方には、後述するスイッチ取付部材３２を取り付けるための係止穴２８がそれぞれ穿設されると共に、この係止穴２８の側方には、後述する装飾ＬＥＤ３８ａ，３８ｂが挿通されるＬＥＤ穴２９がそれぞれ穿設されている。
【００２０】
一方、取付基板２０の裏面上部の両側方には、ソレノイド６０を取り付けるためのソレノイド取付ボス３０が突設されている。このソレノイド取付ボス３０の下方であって、取付基板２０の中央には、受け入れられたパチンコ玉の通路の上部を構成すると共に検出スイッチ３５を固定する通路部材３１が形成されている。通路部材３１の下方には、この通路部材３１と共にパチンコ玉の通路を構成し、受け入れられたパチンコ玉を後方に誘導する後方誘導部２７が形成されている。この後方誘導部２７は、その前方側が取付基板２０の表面側に向けて突出すると共に、上記した玉入口２６の下部を構成するものである。
【００２１】
次に、開閉部材４０ａ，４０ｂについて説明すると、開閉部材４０ａ，４０ｂは、正面視でほぼ半楕円形状に形成されるものであり、互いに対向する内側面が、受け入れたパチンコ玉を誘導するための誘導面４４ａ，４４ｂとして形成されている。なお、一方の開閉部材の誘導面（本実施形態では、開閉部材４０ａの誘導面４４ａ）の下流端であって後方側の位置、即ち、取付基板２０側の位置には、受け入れたパチンコ玉を前方、即ち、前面飾り５０側に向けて誘導する第２誘導突起４１が突設されている。この第２誘導突起４１の作用については後述する。また、開閉部材４０ａ，４０ｂの下部には、開閉部材４０ａ，４０ｂの回動中心である軸支突起４２ａ，４２ｂが突設されている。また、開閉部材４０ａ，４０ｂの裏面側下部であって軸支突起４２ａ，４２ｂと対応する箇所には、取付基板２０の前述した止め穴２３ａ，２３ｂに挿入される裏面軸支突起（図示しない）が突設されている。更に、開閉部材４０ａ，４０ｂの裏面側下部であって裏面軸支突起の近傍には、前面飾り２０の連結穴２４ａ，２４ｂに挿通される連結片４３ａ，４３ｂが突設されている。
【００２２】
また、前面飾り５０について説明すると、前面飾り５０はその縦断面がほぼＬ字状に形成されるものであり、その正面部分には装飾が施されると共に、左右両側方の部分は内蔵される装飾ＬＥＤ３８ａ，３８ｂの光が透過されるようになっている。この前面飾り５０の裏面側上部であって中心線を挟んで一方の開閉部材側（本実施形態では、開閉部材４０ｂ側）の位置には、受け入れたパチンコ玉を後方、即ち、取付基板２０側に向けて誘導する第１誘導突起５３が突設されている。この第１誘導突起５３の作用については後述する。また、前面飾り５０の両側方には、左右対称の位置にそれぞれ一箇所ずつ、開閉部材４０ａ，４０ｂの軸支突起４２ａ，４２ｂが挿入される軸支穴（図示しない）が穿設されている。更に、前面飾り５０の裏面下部には、傾斜状態で受け入れたパチンコ玉を後方へ向けて誘導する誘導底面５２（図３，４参照）が円弧状に形成されている。
【００２３】
なお、入賞装置５は、図１に示すような遊技盤２の中央部に限らず、遊技盤２上の様々な位置に設置される可能性があり、入賞装置５の設置位置によっては、入賞装置５に対するパチンコ玉の流れが入賞装置５の右側に集中する場合と左側に集中する場合とがある。このため、入賞装置５の設置位置に応じて、向かって右側に位置する開閉部材４０ｂの誘導面４４ｂの下流端であって取付基板２０側の位置に第２誘導突起４１を形成してもよい。この場合、第１誘導突起５３は、中心線を挟んで開閉部材４０ａ側の位置に突設されることになる。
【００２４】
次に、アーム８０について説明すると、アーム８０は、例えば、ポリアセタール（ＰＯＭ）やフッ素入りポリカーボネード（ＰＣＦ）等の強度及び耐熱性の高い樹脂材料によって形成されるものであり、正面視でほぼコ字形状に、また、側面視でほぼＴ字形状に形成されるものである。アーム８０の上部中央部分には、ソレノイド６０のプランジャ６３の先端部に形成された係止片６４が嵌め込まれる係止部８３が形成されている。また、アーム８０の後方端部の左右には、アーム８０の回動中心である回動突起８１ａ，８１ｂが内側に向けて突設されている。また、アーム８０の前方端部の左右には、開閉部材４０ａ，４０ｂの連結片４３ａ，４３ｂと係合する係合突起８２ａ，８２ｂが内側に向けて突設されている。
【００２５】
また、ソレノイド６０について説明すると、ソレノイド６０には、アーム８０を回動させるためのプランジャ６３が、スプリング６５（図３，４参照）を挿通した後挿入されている。このプランジャ６３は、ソレノイド６０に通電して内蔵されたコアが励磁されることにより吸引され、この吸引されたプランジャ６３の動きによってアーム８０が回動される。そして、通電を遮断して消磁することにより吸引力がなくなり、スプリング６５の付勢力によってプランジャ６３が元の位置に戻る。これによりアームも元の位置に戻る。また、ソレノイド６０は、ソレノイド６０からの発熱を放熱するための放熱板７０により取付基板２０に取り付けられている。
【００２６】
上記した放熱板７０は、板金を折り曲げることにより形成されるものであり、正面視でほぼコ字形状に形成されると共に、その左右両側方には、取付基板２０のソレノイド取付ボス３０にネジ止めされる取付部７１が形成されている。そして、この取付部７１には、ソレノイド取付ボス３０にネジ止めされる際に取付ネジ（図示しない）が挿通される取付穴７２が穿設されている。
【００２７】
また、放熱板７０の両側面には、アーム８０の回動突起８１ａ，８１ｂが挿入されてアーム８０の回動中心となる回動穴７３ａ，７３ｂがバーリング加工により形成されている。バーリング加工は、穴の回りに立ち上がり部が形成されるように穴を加工するものであり、最終的な加工穴よりも径の小さい下穴を板材に加工しておいた後、立ち上がり部を形成しながら加工穴を最終的な径に広げる加工方法である。本実施形態の場合には、図５に示すように、回動穴７３ａ，７３ｂの回りにそれぞれ立ち上がり部７４ａ，７４ｂが突設されている。この立ち上がり部７４ａ，７４ｂは、放熱板７０の中心側に向けて互いに向かい合って突設されるものである。
【００２８】
次に、スイッチ取付部材３２について説明すると、このスイッチ取付部材３２は、中央部分が開口すると共に、その後部が後方から前方に向けて下り傾斜した状態に形成されている。そして、この開口部分が検出スイッチ３５を取り付けるための取付開口３３として形成されている。また、二股に分かれた前方側の先端部は、前述した取付基板２０の係止穴２８に係止される取付係止部３４として形成されている。
【００２９】
また、ＬＥＤ基板３７ａ，３７ｂについて説明すると、ＬＥＤ基板３７ａ，３７ｂは、それぞれほぼＬ字形状に左右対称で形成される一対の基板であり、その表面下部には発光することにより入賞装置２０の前面側を装飾する装飾ＬＥＤ３８ａ，３８ｂが、裏面上部には配線を接続するためのコネクタ３９ａ，３９ｂが実装されている。
【００３０】
上記のように構成される各機構部材を組み付けるには、以下に示す手順により行う。先ず、取付基板２０の裏面側から一対のＬＥＤ基板３７ａ，３７ｂを取付ネジ（図示しない）によって所定の位置に取り付ける。このとき、取付基板２０のＬＥＤ穴２９に装飾ＬＥＤ３８ａ，３８ｂが臨むこととなる。続いて、スイッチ取付部材３２の取付係止部３４を取付基板２０の裏面側から係止穴２８に係止することにより、スイッチ取付部材３２を取付基板２０に取り付ける。これにより、スイッチ取付部材３２が後方誘導部２７を囲むように位置することとなる。
【００３１】
次に、開閉部材４０ａ，４０ｂの軸支突起４２ａ，４２ｂを前面飾り５０の図示しない軸支穴に挿入すると共に、開閉部材４０ａ，４０ｂの図示しない裏面軸支突起を取付基板２０の止め穴２３ａ，２３ｂに挿入することにより、前面飾り５０及び開閉部材４０ａ，４０ｂを取付基板２０に装着する。開閉部材４０ａ，４０ｂ及び前面飾り５０を取付基板２０に装着した後、取付基板２０の裏面側から、取付ネジ（図示しない）を取付穴２５に挿通し、この取付ネジを前面飾り５０の下部に穿設された止着穴４５に螺着することにより、前面飾り５０が取付基板２０に固定される。このとき、開閉部材４０ａ，４０ｂの連結片４３ａ，４３ｂの先端部分が取付基板２０の連結穴２４ａ，２４ｂに挿通され、取付基板２０の裏面側に突出することとなる。
【００３２】
この連結穴２４ａ，２４ｂは、挿入された連結片４３ａ，４３ｂの可動範囲を規制するものであると同時に、開閉部材４０ａ，４０ｂの起立状態と傾斜状態とを決定するものである。すなわち、開閉部材４０ａ，４０ｂの開閉動作は、アーム８０の回動により連結片４３ａ，４３ｂが上下動することで行われるものであるため、連結穴２４ａ，２４ｂの円周方向の両端部に連結片４３ａ，４３ｂが当接し停止する位置で開閉部材４０ａ，４０ｂも停止し、起立状態と傾斜状態とが決定することとなる。
【００３３】
一方、放熱板７０には、取付ネジ（図示しない）によってソレノイド６０が取り付けられる。また、放熱板７０の回動穴７３ａ，７３ｂには、アーム８０の回動突起８１ａ，８１ｂがそれぞれ挿入されることにより、アーム８０が放熱板７０に対して回動自在に取り付けられる。この回動突起８１ａ，８１ｂは、図５（Ａ）に示すように、回動穴７３ａ，７３ｂに対して立ち上がり部７４ａ，７４ｂと反対側の面から挿入される。なお、回動突起８１ａ，８１ｂが回動穴７３ａ，７３ｂに挿入された状態では、図５（Ｂ）に示すように、回動突起８１ａ，８１ｂの先端部が立ち上がり部７４ａ，７４ｂの先端部よりも低く位置しているため、立ち上がり部７４ａ，７４ｂの先端部にバリが生じているような場合でも、このバリによって回動突起８１ａ，８１ｂが摩耗してしまうことがない。
【００３４】
上記のようにして、アーム８０が放熱板７０に対して回動自在に取り付けられるが、このとき、アーム８０の係止部８３にプランジャ６３の係止片６４を係止させる。この係止片６４は、プランジャ６３がソレノイド６０に吸引された際にアーム８０を回動させるものである。また、プランジャ６３に挿入されたスプリング６５がソレノイド６０本体と係止片６４との間に位置するように取付位置を定める。このスプリング６５は、ソレノイド６０への通電を遮断した場合にプランジャ６３を外側へ押し出すためのものである。
【００３５】
次いで、放熱板７０の取付部７１に穿設された取付穴７２に挿通した取付ネジ（図示しない）を、取付基板２０のソレノイド取付ボス３０に穿設された取付ネジ穴（図示しない）に螺着することにより、ソレノイド６０及びアーム８０を取付基板２０に取り付ける。このとき、アーム８０の係合部８２ａ，８２ｂと取付基板２０の裏面側に突出した開閉部材４０ａ，４０ｂの連結片４３ａ，４３ｂとが係合することとなる。そして、アーム８０が回動突起８１ａ，８１ｂで回動することにより係合部８２ａ，８２ｂが上下動するため、係合部８２ａ，８２ｂと係合した連結片４３ａ，４３ｂも上下動することとなり、これにより開閉部材４０ａ，４０ｂが開閉動作をするものである。
【００３６】
その後、検出スイッチ３５を取付基板２０の裏面側から取付開口３３に挿入し、通路部材３１の後方側端部とスイッチ取付部材３２との間で挟み込むようにして、検出スイッチ３５を固定する。これにより、検出スイッチ３５がスイッチ取付部材３２の形状に沿って傾斜した状態で取り付けられる。このとき、検出スイッチ３５に形成されたパチンコ玉を検出するための検出穴３６がパチンコ玉の通路の下流端に臨むこととなる。
【００３７】
上記したように、ソレノイド６０を取り付ける放熱板７０にアーム８０が軸支されているため、アーム８０を軸支するための部材を別に設ける必要がなく、製造コストの低減を図ることができる。また、アーム８０の回動突起８１ａ，８１ｂを挿入する回動穴７３ａ，７３ｂがバーリング加工により形成されているため、回動穴７３ａ，７３ｂを単なるパンチ穴で形成した場合のように、回動穴７３ａ，７３ｂに生じるバリによってアームの回動突起８１ａ，８１ｂが摩耗しないよう、回動穴７３ａ，７３ｂに軸受部材を取り付けたり、あるいは回動穴７３ａ，７３ｂにシャフトを通し、このシャフトでアーム８０を軸支したりする必要がない。これにより、部品が増加することによる製造コストの上昇を回避することができる。
【００３８】
また、上記したように、検出スイッチ３５が傾斜した状態で取り付けられているため、検出スイッチ３５を垂直方向に取り付けることにより入賞装置５の縦寸法だけが大きくなってしまったり、あるいは、検出スイッチ３５を水平方向に取り付けることにより入賞装置５の奥行き寸法だけが大きくなってしまうことがない。このため、入賞装置５の縦寸法及び奥行き方向の寸法のいずれも大きくなり過ぎることを抑えて、入賞装置５の小型化を図ることができる。
【００３９】
また、検出スイッチ３５を傾斜した状態で取り付けることにより、入賞装置５の小型化を図りながら、検出スイッチ３５とソレノイド６０との間に空間を形成することができるため、ソレノイド６０の発熱の影響による検出スイッチ３５の破損を防止することができる。また、形成された空間をパチンコ玉の通路等、他の空間として利用することができる。
【００４０】
更に、検出スイッチ３５が入賞装置５の後方部に取り付けられているため、検出スイッチ３５が入賞装置５を構成する部品と部品との間に位置している場合や、部品の内部に取り付けられている場合のように、検出スイッチ３５の交換作業等が困難になるということがなく、検出スイッチ３５の取り付け及び取り外しを容易に行うことができる。
【００４１】
しかして、上記のように構成された入賞装置５は、取付基板２０の取付穴２４ａ，２４ｂに挿通した取付ネジ（図示しない）により、遊技盤２の表面に装着される。
【００４２】
遊技盤２の表面に装着された入賞装置５において、ソレノイド６０を励磁しプランジャ６３を吸引させると、図４に示すように、吸引されたプランジャ６３の係止片６４によってアーム８０が時計方向に回動し、係合突起８２ａ，８２ｂが上方に移動することにより連結片４３ａ，４３ｂが上方に持ち上げられる。連結片４３ａ，４３ｂが上方に持ち上げられることにより開閉部材４０ａ，４０ｂが開放し、図４に示すように、入賞装置５は傾斜状態になり、パチンコ玉を受け入れることができる。傾斜状態で入賞装置５に受け入れられたパチンコ玉は、誘導底面５２，後方誘導部２７上を転動した後、検出スイッチ３５を通過してパチンコ機１内に導入されると共に、検出スイッチ３５からは、図柄表示器４を起動するための信号が導出されることとなる。
【００４３】
一方、傾斜状態からソレノイド６０への通電を遮断すると、ソレノイド６０の励磁が解除されるためプランジャ６３への吸引力がなくなり、スプリング６５によりプランジャ６３が外側へ押し出される。プランジャ６３が外側へ押し出されると、アーム８０が反時計回りに回動し、係合突起８２ａ，８２ｂが下方に移動することにより連結片４３ａ，４３ｂが下方に下がる。連結片４３ａ，４３ｂが下方に下がることにより開閉部材４０ａ，４０ｂが閉塞し、図３に示すように、入賞装置５は起立状態になり、パチンコ玉を受け入れることができなくなる。
【００４４】
ところで、従来の入賞装置５においては、開閉部材４０ａ，４０ｂの傾斜状態時に同時に２個のパチンコ玉が入賞した際、２個のパチンコ玉が互いに及ぼし合う力が同一線上に働いてパチンコ玉が停止し、玉詰まりを起こしてしまうことがあった。このため、本実施形態における入賞装置５においては、前述したように、前面飾り５０の裏面側上部であって中心線を挟んで開閉部材４０ｂ側の位置には、受け入れたパチンコ玉を後方に向けて誘導する第１誘導突起５３が突設され、また、開閉部材４０ａの誘導面４４ａの下流端であって後方側の位置には、受け入れたパチンコ玉を前方に向けて誘導する第２誘導突起４１が突設されている。これにより、入賞装置５で受け入れられたパチンコ玉のうち第１誘導突起５３側に位置するパチンコ玉は、図６の矢印Ａで示すように、第１誘導突起５３によって後方に向けて誘導される。また、入賞装置５で受け入れられたパチンコ玉のうち第２誘導突起４１側に位置するパチンコ玉は、図６の矢印Ｂで示すように、第２誘導突起４１によって前方に向けて誘導される。このように、２個のパチンコ玉が平面視で段差状になるように誘導されるため、２個のパチンコ玉が互いに及ぼす力が同一線上に働くことがなく、２個のパチンコは静止することはない。そして、一方のパチンコ玉が他方のパチンコ玉から逃げるように移動するため、一方のパチンコ玉が落下して玉入口２６内に入賞した後、他方のパチンコ玉が落下して玉入口２６内に入賞する。
【００４５】
ところで、実施形態に係るパチンコ機１には、前述したように、大当り状態になることにより開放してパチンコ玉を受け入れる変動入賞装置７が備えられている。後述するように、この変動入賞装置７には前後方向で開閉する開閉扉９５が正面に備えられており、この開閉扉９５は内蔵された回転ソレノイド１１６によって開閉駆動されるようになっている。また、変動入賞装置７には、前述した入賞装置５と同様に入賞したパチンコ玉を検出するための検出スイッチ１１４が内蔵されている。
【００４６】
従来、このような変動入賞装置では、開閉扉を開閉駆動するソレノイドとして、例えば、特開２００２−３５３８６号公報に開示されるように、前述した入賞装置２０のソレノイド６０と同様にプランジャを往復動させることにより駆動力を発生するものが用いられていた。ところが、このようなプランジャを往復動させる形式のソレノイドを変動入賞装置に適用した場合、プランジャの往復動を開閉扉の開閉動に変換するためのリンク機構を大型化する必要があった。これは、入賞装置の開閉部材を開閉駆動する場合と異なり、変動入賞装置の開閉扉を開閉駆動するためには大きな駆動力を必要とするためである。このように、リンク機構が大型化することに伴い変動入賞装置自体も大型化するため、遊技盤での変動入賞装置の設置位置が制限されるという問題があった。
【００４７】
さらに、従来の変動入賞装置においては、内蔵される検出スイッチは、長手方向が水平状態となるよう設置されていたが、このように設置することにより変動入賞装置が横方向で大型化するため、これによっても遊技盤での設置位置を制限する原因になっていた。
【００４８】
そこで本実施形態に係る変動入賞装置７においては、変動入賞装置７の小型化を図ることを目的とし、開閉扉９５を開閉させるソレノイドとして回転駆動式の回転ソレノイド１１６を用いると共に、入賞したパチンコ玉を検出する検出スイッチ１１４を長手方向が垂直状態となるように設置した。
【００４９】
そして、上記したような回転ソレノイド１１６を用いた変動入賞装置７及び入賞したパチンコ玉を検出する検出スイッチ１１４を長手方向が垂直状態となるように設置した変動入賞装置７から把握できる発明として以下のものがある。
【００５０】
（発明１）開閉アーム１１１の回動によりパチンコ玉を受け入れない閉塞状態とパチンコ玉を受け入れることができる開放状態とに変化可能な開閉扉９５を取付基板の前面に軸支したパチンコ機１の変動入賞装置７において、前記開閉アーム１１１は、挿通されたシャフト１１７が回転することにより駆動力を発生する回転ソレノイド１１６の前記シャフト１１７に装着されて回動することを特徴とするパチンコ機１の変動入賞装置７。このように回転ソレノイド１１６によって開閉アーム１１１を回動させることにより、開閉駆動させるために大きな駆動力を必要とする変動入賞装置７の開閉扉９５を開閉駆動させる際に、プランジャを往復動させる形式のソレノイドを用いて開閉扉９５を開閉駆動させる場合のような大きなリンク機構が必要とならない。これにより、変動入賞装置７を小型化することができるため、遊技盤２での変動入賞装置７の設置位置が制限されることがない。
【００５１】
（発明２）前記変動入賞装置７は、パチンコ玉が入賞したことを検出する検出スイッチ１１４を備え、前記検出スイッチ１１４は、取り付け時にその横寸法が縦寸法よりも小さくなるよう、長手方向が垂直状態で取り付けられていることを特徴とする発明１記載のパチンコ機の入賞装置。このように検出スイッチ１１４が取り付け時にその横寸法が縦寸法よりも小さくなるよう、長手方向が垂直状態で取り付けられることにより、変動入賞装置７の横方向での寸法を抑えて小型化することができるため、遊技盤２での変動入賞装置７の設置位置が制限されることがない。
【００５２】
そこで、上記した本実施形態に係る変動入賞装置７について、図７を参照して説明する。図７は、変動入賞装置７の分解斜視図である。
【００５３】
図７において、変動入賞装置７は、パチンコ機１の遊技盤２の表面に取り付けられる取付基板９０と、取付基板９０の前面に軸支され開放状態と閉塞状態とに変化可能な開閉扉９５と、パチンコ玉が入賞したことを検出する検出スイッチ１１４と、この検出スイッチ１１４を取り付けるためのスイッチ取付部材９８と、  受け入れたパチンコ玉を検出スイッチ１１４に向けて誘導する玉通路１０６を有する玉通路部材１０５と、開閉扉９５を開閉させるための開閉アーム１１１と、回転作動することにより開閉アーム１１１を回動させるソレノイド１１６と、ソレノイド１１６からの発熱を放熱するための放熱板１２０と、から構成されている。以下、変動入賞装置７を構成する上記した各構成について説明する。
【００５４】
まず、取付基板９０について説明すると、取付基板９０は、正面視でほぼ長方形状に形成されるものである。取付基板９０の中央には開閉扉９５で受け入れたパチンコ玉を取付基板９０の後面側に通過させる入賞開口９１が開設されている。また、取付基板９０の裏面側であって入賞開口９１の下部両側方には、開閉扉９５の後述する支軸９６が挿入される支軸挿入部９３が形成されている。また、取付基板９０の上部両側方及び下部中央には、変動入賞装置７を遊技盤２の表面に取り付けるための取付穴９２が穿設されている。一方、取付基板９０の裏面下部の中央には、スイッチ取付部材９８を取り付けるための取付ボス９４が突設されている。
【００５５】
次に、開閉扉９５について説明すると、開閉扉９５は正面視でほぼ長方形状に、側面視でほぼＬ字形状に形成されるものであり、その下部両側方には、開閉扉９５の回動中心である支軸９６が外側に向けて突設されている。この支軸９６のうち右側方に位置する支軸９６の下方には、開閉アーム１１１の後述する係止部１１３が係止する係止片９７が外側に向けて突設されている。
【００５６】
また、スイッチ取付部材９８について説明すると、スイッチ取付部材９８は、前面側に向けて開口するほぼコ字形状に形成されるものであり、その左側方部には検出スイッチ１１４が挿入される角型のスイッチ取付穴９９が縦長状に形成されている。また、上部両側方及び下部中央には、スイッチ取付部材９８を取付基板９０に取り付けるための取付穴１０１，１０２，１０３が穿設されている。一方、スイッチ取付部材９８の裏面ほぼ中央には、放熱板１２０を取り付けるための取付ボス１０４が突設されている。
【００５７】
次に、玉通路部材１０５について説明すると、玉通路部材１０５は、前面側に向けて開口するコ字形状に形成されると共に、その下部側方には受け入れたパチンコ玉を検出スイッチ１１４に向けて誘導する玉通路１０６が側方に向けて形成されている。この玉通路１０６の先端部分には、スイッチ取付部材９８の嵌合穴（図示しない）に嵌合される嵌合片１０９が突設されている。また、左側方上部には、玉通路部材１０５を取付基板９０に取り付けるための取付穴１０８が穿設されている。一方、玉通路部材１０５の裏面上部には、スイッチ取付部材９８を玉通路部材１０５に取り付けるための取付ボス１０７が突設されている。更に、この取付ボス１０７の下方には、検出スイッチ１１４が挿入されるスイッチ挿入部１１０が形成されている。
【００５８】
また、回転ソレノイド１１６について説明すると、回転ソレノイド１１６はほぼ立方体形状に形成されるものであり、その中央部分には、開閉アーム１１１が取り付けられると共にこの開閉アーム１１１を回動させるシャフト１１７が備えられている。このシャフト１１７は、円周面の一部が平面状に切り欠かれることにより、その断面がＤ字形状に形成されている。また、回転ソレノイド１１６の上部には、回転ソレノイド１１６をスイッチ取付部材９８に取り付けるための取付穴１１９が穿設された取付フランジ１１８が突設されている。
【００５９】
また、開閉アーム１１１について説明すると、開閉アーム１１１は、棒状に形成されるものであり、一端側には回転ソレノイド１１６のシャフト１１７が挿入されるＤ字形状のシャフト挿入穴１１２が穿設されると共に、他端側は開閉扉９５の係止片９７が係止される二股形状の係止部１１３として形成されている。
【００６０】
また、放熱板１２０について説明すると、放熱板１２０は板金を折り曲げることにより形成されるものであり、上方部分が回転ソレノイド１１６を保護する保護部１２３として形成されると共に、左側方部分が放熱板１２０をスイッチ取付部材９８に取り付けるための取付穴１２２を有する取付フランジ１２１として形成されている。
【００６１】
上記のように構成される各機構部材を組み付けるには、以下に示す手順により行う。先ず、開閉扉９５を取付基板９０の裏面側から入賞開口９１に対して取り付ける。このとき、開閉扉９５の支軸９６を取付基板９０の支軸挿入部９３に挿入する。これにより、開閉扉９５が取付基板９６に対して支軸９６を中心に回動可能となる。
【００６２】
一方、玉通路部材１０５の嵌合片１９をスイッチ取付部材９８の嵌合穴（図示しない）に嵌合させると共に、スイッチ取付部材９８の取付穴１０３に挿通した取付ネジ（図示しない）を玉通路部材１０５の取付ボス１０７に穿設された取付ネジ穴（図示しない）に螺着することにより、スイッチ取付部材９８と玉通路部材１０５とを組み立てる。そして、このようにして組み立てたスイッチ取付部材９８及び玉通路部材１０５を取付部材９０に取り付ける。具体的には、スイッチ取付部材９８の取付穴１０２に挿通した取付ネジ（図示しない）を取付基板９０の取付ボス９４に穿設された取付ネジ穴（図示しない）に螺着し、スイッチ取付部材９８の取付穴１０１，１０３に挿通した取付ネジ（図示しない）を取付基板９０の取付ネジ穴（図示しない）に螺着することにより行なう。
【００６３】
また、開閉アーム１１１のシャフト挿入穴１１２に回転ソレノイド１１６のシャフト１１７を挿入することにより、回転ソレノイド１１６に開閉アーム１１１を取り付ける。前述したように、シャフト１１７の断面形状及びシャフト挿入穴１１２の形状は、それぞれＤ字形状に形成されており、互いの形状に合うように挿入されるため、開閉アーム１１１がシャフト１１７に対して回転しないように固定される。
【００６４】
そして、上記のようして開閉アーム１１１を取り付けた回転ソレノイド１１６の取付穴１１９に挿入した取付ネジ（図示しない）を、スイッチ取付部材９８の取付ネジ穴（図示しない）に螺着することにより、回転ソレノイド１１６をスイッチ取付部材９８に取り付ける。このとき、開閉アーム１１１の係止部１１３が開閉扉９５の係止片９７に係止されるように、係止部１１３及び係止片９７の位置を決める。
【００６５】
また、回転ソレノイド１１６を覆うように、回転ソレノイド１１６の後方に放熱板１２０を位置させた後、放熱板１２０の取付フランジ１２１に形成された取付穴１２２に挿通した取付ネジ（図示しない）をスイッチ取付部材９８の取付ボス１０４に形成された取付ネジ穴（図示しない）に螺着することにより、放熱板１２０をスイッチ取付部材９８に取り付ける。
【００６６】
そして、スイッチ取付部材９８のスイッチ取付穴９９から玉通路部材１０５のスイッチ挿入部１００にかけて、検出スイッチ１１４を挿入する。そして、スイッチ取付部材９８に突設されたスイッチ係止片（図示しない）を検出スイッチ１１４の後端部に係止することにより、検出スイッチ１１４が固定される。このように、検出スイッチ１１４が取り付けられると、検出スイッチ１１４の検出穴１１５が玉通路１０６の下流端に臨むように位置する。このため、変動入賞装置７に受け入れられたパチンコ玉は、変動入賞装置７内で玉通路１０６を流下した後に検出穴１１５を通過して検出される。なお、スイッチ取付穴９９は、前述したように、縦長形状に形成されるものであるため、検出スイッチ１１４を挿入した際、検出スイッチ１１４は、図７に示すように、取り付け時にその横寸法が縦寸法よりも小さくなるよう、長手方向が垂直状態で取り付けられる。
【００６７】
しかして、上記のように構成された変動入賞装置７は、取付基板９０の取付穴９２に挿通した取付ネジ（図示しない）により遊技盤２の表面に装着される。
【００６８】
遊技盤２の表面に装着された変動入賞装置７において、回転ソレノイド１１６を励磁させるとシャフト１１７が時計回りに回転するため、開閉アーム１１１も時計方向に回動し、係止部１１３が上方に移動することにより係止片９７が上方に持ち上げられる。係止片９７が上方に持ち上げられることにより開閉扉９５が支軸９６を中心として反時計回りに回動し、パチンコ玉を受け入れることができる開放状態となる。開放状態で変動入賞装置７に受け入れられたパチンコ玉は、玉通路１０６上を転動した後、検出スイッチ１１４を通過してパチンコ機１内に導入されると共に、検出スイッチ１１４からは、パチンコ玉を検出した旨の信号が導出されることとなる。
【００６９】
一方、開放状態から回転ソレノイド１１６への通電を遮断すると、回転ソレノイド１１６の励磁が解除されてシャフト１１７が反時計回りに回転するため、開閉アーム１１１も反時計方向に回動し、係止部１１３が下方に移動することにより係止片９７が下方に押し下げられる。係止片９７が下方に押し下げられることにより開閉扉９５が支軸９６を中心として時計回りに回動し、パチンコ玉を受け入れることができない閉塞状態となる。
【００７０】
上記のように、本実施形態に係る変動入賞装置７においては、開閉アーム１１１は、挿通されたシャフト１１７が回転することにより駆動力を発生する回転ソレノイド１１６のシャフト１１７に装着されて回動するため、開閉駆動させるために大きな駆動力を必要とする変動入賞装置７の開閉扉９５を開閉駆動させる際に、プランジャを往復動させる形式のソレノイドを用いて開閉扉９５を開閉駆動させる場合のような大きなリンク機構が必要とならない。これにより、変動入賞装置７を小型化することができるため、遊技盤２での変動入賞装置７の設置位置が制限されることがない。
【００７１】
また、本実施形態に係る変動入賞装置７においては、検出スイッチ１１４は、取り付け時にその横寸法が縦寸法よりも小さくなるよう、長手方向が垂直状態で取り付けられていることにより、変動入賞装置７の横方向での寸法を抑えて小型化することができるため、遊技盤２での変動入賞装置７の設置位置が制限されることがない。
【００７２】
上記のように、本実施形態に係る入賞装置５及び変動入賞装置７は小型化が図られたものである。このため、例えば、図８に示すように、パチンコ機１の遊技盤２に備えられる図柄表示装置４が縦長形状に構成されるものであり、図柄表示装置４の下方のスペースが小さくなる場合であっても、図柄表示装置４の下方に入賞装置５を設置することができる。この場合、変動入賞装置７を図８に示すような図柄表示器４の側方等に設置することが考えられるが、変動入賞装置７も小型化が図られているため、図柄表示器４の横方向の寸法も大きく設定することが可能である。このように、本実施形態に係る小型化が図られた入賞装置５及び変動入賞装置７では、遊技盤２において様々なバリエーションの配置をすることができる。
【００７３】
なお、上記した実施形態においては、入賞装置５を特別変動表示装置３に対する始動機能を有する入賞装置５として説明したが、必ずしも始動機能を有するものとして使用する必要はなく、他の特別役物を起動するための入賞装置として使用してもよく、その配置位置も、遊技盤２のいずれの位置でもよい。
【図面の簡単な説明】
【００７４】
【図１】実施形態に係る入賞装置を装着したパチンコ機の正面図である。
【図２】入賞装置の分解斜視図である。
【図３】パチンコ玉を受け入れない起立状態における入賞装置の正面図及び側方断面図である。
【図４】パチンコ玉を受け入れることができる傾斜状態における入賞装置の正面図及び側面断面図である。
【図５】回動穴に回動突起を挿入する状態の拡大図である。
【図６】開閉部材上のパチンコ玉が第１誘導突起及び第２誘導突起によって誘導される状態を示す平面図及び正面図である。
【図７】変動入賞装置の分解斜視図である。
【図８】別の実施形態に係る入賞装置を装着したパチンコ機の正面図である。
【符号の説明】
【００７５】
５  入賞装置
２０  取付基板
３５  検出スイッチ
４０ａ，４０ｂ  開閉部材
４１  第２誘導突起
４４ａ，４４ｂ  誘導面
５０  前面飾り
５３  第１誘導突起
６０  ソレノイド
７０  放熱板
７３ａ，７３ｂ  回動穴
８０  アーム
８１ａ，８１ｂ  回動突起
【図１】
2005288042.tif 000003
【図２】
2005288042.tif 000004
【図３】
2005288042.tif 000005
【図４】
2005288042.tif 000006
【図５】
2005288042.tif 000007
【図６】
2005288042.tif 000008
【図７】
2005288042.tif 000009
【図８】
2005288042.tif 000010